(57)【要約】【課題】電線およびコネクタを長手方向両端部に収容する長尺状の器具本体に、取付ばねを用いて、電源を有する長尺状の照明ユニットを取り付ける照明器具において、長さの短い照明器具の製造を可能とする。【解決手段】照明ユニット１０は、照明ユニット本体１０ａと、照明ユニット１０の長手方向中央を挟んで所定間隔を空けて設けられた一対の取付ばね１４とを有し、該一対の取付ばね１４は、基端が照明ユニット本体１０ａに取り付けられ、器具本体２０に対向する側とは反対側に付勢された、長手方向中央に向けて延びるばね腕部１４ｂを有し、器具本体２０は、ケース部材２１と、長手方向中央部に配置された電源２２と、電源の長手方向両端部から延出した電線２３およびコネクタ２４と、ケース部材２１内の電源２２の長手方向外側に位置する、電線２３およびコネクタ２４を収容する収容部２７と、ばね碗部１４ｂが係止されるばね腕係止部２５ａとを有する。【選択図】図８
2020061321.tif 000002
【特許請求の範囲】
【請求項１】
被取付部に取り付けられる長手方向に延びる長尺状の器具本体と、
該器具本体に着脱可能に取り付けられる、光源を有する、前記長手方向に延びる長尺状の照明ユニットとを備え、
前記照明ユニットは、前記光源を有する照明ユニット本体と、該照明ユニット本体の前記長手方向の中央を挟んで前記長手方向に所定間隔を空けて設けられた一対の取付ばねとを有し、該一対の取付ばねは、基端側が前記照明ユニット本体に取り付けられたばね腕部であって、先端側が前記照明ユニットの前記長手方向の中央に向けて延び、前記器具本体に対向する側とは反対側に付勢されたばね腕部を有し、
前記器具本体は、前記照明ユニットに対向する側が開口するケース部材と、該ケース部材の前記長手方向の中央部に配置された電源と、該電源の前記長手方向の両端部から延出した電線および該電線に接続されたコネクタと、前記ケース部材内の前記電源の前記長手方向外側に位置する、前記電線および前記コネクタを収容する収容部と、該収容部内に設けられた前記ばね碗部が係止される一対のばね腕係止部とを有する
ことを特徴とする照明器具。
【請求項２】
前記ばね腕部が前記照明ユニットの側部に、前記ばね腕係止部が前記器具本体の側部に配置されている請求項１記載の照明器具。
【請求項３】
前記一対のばね腕部の一方および前記一対のばね腕係止部の一方が、前記照明ユニットおよび前記器具本体の短手方向の一方の側部に設けられ、前記一対のばね腕部の他方および前記一対のばね腕係止部の他方が、前記照明ユニットおよび前記器具本体の短手方向の他方の側部に設けられている請求項２記載の照明器具。
【請求項４】
前記ばね腕部が、該ばね腕部の基端から先端に向けて延びる腕部本体と、該腕部本体の先端から前記器具本体に対向する側とは反対側に向けて折り曲げられた折曲部と、該折曲部の先端から前記基端側に向けて突出させて円形状に形成されたループ部とを備え、前記腕部本体の先端部と、前記折曲部と、前記ループ部とで、前記ばね腕係止部に一時係止される被係止部が形成されている請求項１〜３いずれか１項記載の照明器具。
【請求項５】
前記取付ばねが、線材を円筒状に巻回したコイル部と、該コイル部の一端から延出した前記ばね腕部と、前記コイル部の他端から延出した支え腕部とを備え、前記コイル部は前記照明ユニット本体に係止され、前記ばね腕部と前記支え腕部とは前記器具本体に対向する側とは反対側に向けて付勢されている請求項１〜４いずれか１項記載の照明器具。
【請求項６】
前記支え腕部の長さが前記ばね腕部の長さの半分以下である請求項１〜５いずれか一項記載の照明器具。
【請求項７】
前記照明器具が、複数の照明器具同士を電気的に接続して使用可能な照明器具であって、前記コネクタが、他の照明器具のコネクタと電気的に接続するためのものである請求項１〜６いずれか１項記載の照明器具。
【発明の詳細な説明】
【技術分野】
【０００１】
本発明は、天井等の被取付部に取り付けられる器具本体と、該器具本体に着脱可能に取り付けられる照明ユニットとを備えた長尺状の照明器具に関する。
【背景技術】
【０００２】
従来から、天井等の被取付部に取り付けられる器具本体と、光源を有する照明ユニットとを備え、照明ユニットを器具本体に着脱可能に取り付ける構成とした照明器具が知られている。また、そのような照明器具として、特許文献１に記載されている、取付ばねを用いて照明ユニットを器具本体に着脱可能に取り付けるようにしたタイプのものが知られている。
【０００３】
特許文献１に記載された照明器具は、ＬＥＤ発光素子を光源として有する長尺状の照明ユニットと、天井に取り付けられる長尺状の器具本体とを備え、照明ユニットの後面（器具本体に対向する面）に照明ユニットの長手方向中央を挟んで長手方向に所定間隔を空けてばね腕部を有する取付ばねを一対設け、器具本体の前面（照明ユニットに対向する面）に長手方向に所定間隔を空けてばね腕部に対応する位置にばね腕係止部を一対設け、このばね腕係止部にばね腕部を係止させてばね腕部の弾性力により照明ユニットを器具本体に取り付けるように構成されている。
【０００４】
また、上記特許文献１に記載された照明器具は、照明ユニットに一対の取付ばねを設けるに当たり、取付ばねを、コイル部と、コイル部の一端から延出したばね腕部と、コイル部の他端から延出した支え腕部とからなる捩りばねで構成し、コイル部を照明ユニットに係止すると共に、ばね腕部をコイル部から互いに背を向けて長手方向外側に向けて延びるように設けている。
【先行技術文献】
【特許文献】
【０００５】
【特許文献１】特開２０１８−６０６９８号公報
【発明の概要】
【発明が解決しようとする課題】
【０００６】
しかしながら、上記特許文献１記載の照明器具の脱着構造は、取付ばねを照明ユニットの長手方向中央を挟んで左右に配置し、ばね腕部をそれぞれ長手方向外側に向けて配置しているので、以下に述べるように、器具本体が電源と電源の長手方向両端から延出した電線および電線に接続されたコネクタを備えているタイプの場合、長さの短い照明器具を作るのか難しいという問題があった。
【０００７】
即ち、例えば長手方向に複数個直線状に列設し隣り合うもの同士を電気的に接続して使用可能な長尺状の照明器具の場合、各照明器具の器具本体には、器具本体のケース部材の長手方向中央部に電源を設け、電源の長手方向の両端からは、隣接する照明器具と接続するための電線が延出し、電線にはコネクタが設けられ、これらの電線やコネクタを収容する収容空間を、器具本体のケース部材内の電源より長手方向外側に確保する必要があり、そのような収容空間は、ばね碗部やばね腕係止部と電線やコネクタとの干渉を避けるべく、ばね腕部やばね腕係止部よりもさらに長手方向外側に位置させておく必要がある。
【０００８】
しかるに、ばね腕部が長手方向外側に向けて延びて配置されていると、ばね腕部の先端位置やばね腕係止部の位置が電源の長手方向両端からより長手方向外側に離れた位置となり、そこからさらに長手方向外側に収容空間を確保しようとすると、照明器具の長手方向長が長くなり、短い照明器具を作ることが困難であった。
【０００９】
本発明の目的は、上記事情に鑑み、ばね腕部を用いて器具本体に照明ユニットを着脱自在に取り付けるタイプであって、器具本体に電源や電線およびコネクタが設けられているタイプの照明器具において、長手方向の長さの短縮化を図ることができる照明器具を提供することにある。
【課題を解決するための手段】
【００１０】
本発明にかかる照明器具は、
被取付部に取り付けられる長手方向に延びる長尺状の器具本体と、
該器具本体に着脱可能に取り付けられる、光源を有する、前記長手方向に延びる長尺状の照明ユニットとを備え、
前記照明ユニットは、前記光源を有する照明ユニット本体と、該照明ユニット本体の前記長手方向の中央を挟んで前記長手方向に所定間隔を空けて設けられた一対の取付ばねとを有し、該一対の取付ばねは、基端側が前記照明ユニット本体に取り付けられたばね腕部であって、先端側が前記照明ユニットの前記長手方向の中央に向けて延び、前記器具本体に対向する側とは反対側に付勢されたばね腕部を有し、
前記器具本体は、前記照明ユニットに対向する側が開口するケース部材と、該ケース部材の前記長手方向の中央部に配置された電源と、該電源の前記長手方向の両端部から延出した電線および該電線に接続されたコネクタと、前記ケース部材内の前記電源の前記長手方向外側に位置する、前記電線および前記コネクタを収容する収容部と、該収容部内に設けられた前記ばね碗部が係止される一対のばね腕係止部とを有する
ことを特徴とする。
【００１１】
上記「付勢された」とは、ばね腕部をばね腕係止部に係止させて照明ユニットを器具本体に取り付けた状態で付勢されている状態にあることを意味する。
【００１２】
上記照明器具においては、ばね腕部を照明ユニットの短手方向の側部に、ばね腕係止部を器具本体の短手方向の側部に配置することができる。上記「短手方向」とは、後述するように長手方向および前後方向に直交する方向を意味し、「短手方向の側部」とは、短手方向の端部、つまり短手方向の端部分の領域を意味する。
【００１３】
上記照明器具においては、一対のばね腕部の一方および一対のばね腕係止部の一方を、照明ユニットおよび器具本体の短手方向の一方の側部に設け、一対のばね腕部の他方および一対のばね腕係止部の他方を、照明ユニットおよび器具本体の短手方向の他方の側部に設けることができる。
【００１４】
上記照明器具においては、ばね腕部を、ばね腕部の基端から先端に向けて延びる腕部本体と、腕部本体の先端から器具本体に対向する側とは反対側に向けて折り曲げられた折曲部と、折曲部の先端から基端側に向けて突出させて円形状に形成されたループ部とからなるものとし、腕部本体の先端部と、折曲部と、ループ部とで、ばね腕係止部に一時係止される被係止部を形成することができる。上記「一時係止」とは、照明ユニットを器具本体に対して着脱する過程の途中において一時的に行われる係止を意味する。
【００１５】
上記照明器具においては、取付ばねを、線材を円筒状に巻回したコイル部と、コイル部の一端から延出したばね腕部と、コイル部の他端から延出した支え腕部とからなるものとし、コイル部を照明ユニット本体に係止し、ばね腕部と支え腕部とが器具本体に対向する側とは反対側に向けて付勢されているものとすることができる。
【００１６】
上記照明器具においては、支え腕部の長さをばね腕部の長さの半分以下とすることができる。
【００１７】
上記照明器具においては、照明器具が、複数の照明器具同士を電気的に接続して使用可能な照明器具であって、コネクタが、他の照明器具のコネクタと電気的に接続するためのものであってもよい。
【発明の効果】
【００１８】
本発明に係る照明器具は、ばね腕部を用いて器具本体に照明ユニットを着脱自在に取り付けると共に、器具本体に電源や電線およびコネクタが設けられているタイプの照明器具において、ばね腕部を照明器具の長手方向の中央側に向けて延出させて設けたので、長手方向の長さの短い照明器具を作ることができる。
【図面の簡単な説明】
【００１９】
【図１】本発明に係る照明器具の一実施形態の照明ユニットの平面図
【図２】図１に示す照明ユニットの正面図
【図３】本発明に係る照明器具の一実施形態の器具本体の平面図
【図４】図３に示す器具本体の正面図
【図５】図３に示す照明器具の底面図
【図６】図３中のＶＩ−ＶＩ線断面図
【図７】図１に示す照明ユニットを図５に示す器具本体に取り付けた状態における図９中のＶＩＩ―ＶＩＩ線断面図
【図８】図１に示す照明ユニットを図５に示す器具本体に取り付ける途中の状態を示す断面図であって、照明ユニットは図１のＶＩＩＩｄ−ＶＩＩＩｄ線断面図、器具本体は図３のＶＩＩＩｕ―ＶＩＩＩｕ線断面図
【図９】図８と同様の断面図であって、照明ユニットを器具本体に取り付け終わった状態を示す断面図
【発明を実施するための形態】
【００２０】
以下、図面を参照して本発明に係る照明器具の一実施形態について説明する。
【００２１】
本実施形態に係る照明器具は、天井や壁あるいは商品陳列棚等の被取付部に取り付けて使用される長尺状の照明器具１であって、被取付部に取り付けられる器具本体２０と、該器具本体２０に着脱可能に取り付けられる照明ユニット１０とを備えている。
【００２２】
図１は上記照明ユニット１０の平面図、図２は図１に示す照明ユニット１０の正面図であり、これらの図１、図２と、器具本体２０に照明ユニット１０を取り付け終わった状態を示す短手方向の断面図である図７、器具本体２０に照明ユニット１０を取り付ける途中の状態を示す長手方向の断面図である図８、器具本体２０に照明ユニット１０を取り付け終わった状態を示す長手方向の断面図である図９を参照しながら、先ず、照明ユニット１０について説明する。
【００２３】
照明ユニット１０は、照明カバー１１と、照明カバー１１の後端部に嵌入させた支持板１２と、支持板１２の前面に取り付けたＬＥＤ照明体１３と、支持板１２の後面に取り付けた一対の取付ばね１４とを備えている。照明カバー１１と支持板１２とＬＥＤ照明体１３とで照明ユニット本体１０ａが構成されている。なお、照明器具１において、前および後は、図２、図４、図６〜図９において矢印で示す方向を意味する。つまり、照明ユニット１０側を前、器具本体２０側を後とする。また、照明器具１は所定方向に延びる長尺状をなし、照明器具１が延びる方向を長手方向、長手方向および前後方向に直交する方向を短手方向とする。
【００２４】
照明カバー１１は、長手方向に直線的に所定長延びる、断面が略コ字状のカバー本体１１ａと、カバー本体１１ａの後端に固着した長手方向に延びるレール部材１１ｂと、カバー本体１１ａの長手方向両端に着脱可能に設けられたサイド板１１ｃとで構成されている。カバー本体１１ａおよびサイド板１１ｃは、後述する光源であるＬＥＤ発光素子から発せられた照明光を透過する、乳白色のプラスチックで形成されている。
【００２５】
支持板１２は、長手方向に延びるアルミ製の板状材であり、短手方向の両端部には、照明カバーのレール部材１１ｂの断面三角形の凸状１１ｄと嵌合する、長手方向に延びる凹条１２ａが形成されている。支持板１２は、照明カバー１１の長手方向の一端からレール部材の凸条１１ｄに凹条１２ａを嵌合させて長手方向にスライド嵌入させることで照明カバー１１に組み付けて照明カバー１１に保持させる。なお、支持板１２の後面（支持板１２が照明カバー１１に組み付けられた状態で照明ユニット１０の後側に向く面）にはスポンジ状の保護部材１６が設けられている。
【００２６】
ＬＥＤ照明体１３は、回路が印刷された長尺板状の基板１３ａと、基板１３ａに長手方向に互いに所定間隔を空けて列設された複数の光源たるＬＥＤ発光素子（発光ダイオード）１３ｂと、基板１３ａから延出した電線１３ｃに接続された素子側ＬＥＤコネクタ１３ｄとを備えている。基板１３ａは、ＬＥＤ発光素子１３ｂを前側に位置させるべくＬＥＤ発光素子１３ｂが設けられた面とは反対側の面（後面）を支持板１２の前面（支持板１２が照明カバー１１に組み付けられた状態で照明ユニット１０の前側に向く面）に固定されている。
【００２７】
一対の取付ばね１４は、照明ユニット１０の長手方向中央を挟んで長手方向に所定間隔を空けて配設されている。取付ばね１４は、金属線材を円筒状に巻回したコイル部１４ａと、コイル部１４ａの一端から延出したばね腕部１４ｂと、コイル部１４ａの他端から延出した支え腕部１４ｃとからなる捩りばねにより構成されている。
【００２８】
コイル部１４ａは、支持板１２の後面に設けられた取付ブラケット１５に支持された軸１５ａをコイル部１４ａに挿通させて係止した状態で照明ユニット本体１０ａに取り付けられており、ばね腕部１４ｂはコイル部１４ａからそれぞれ長手方向内側に向けて、つまり長手方向中央に向けて延出し、支え腕部１４ｃはコイル部１４ａからそれぞれ長手方向外側に向けて延出している。また、本実施形態では、ばね腕部１４ｂと支え腕部１４ｃとは、支持板１２に取り付けた自然状態（図２に示す状態）において、いずれも器具本体２０に対向する側とは反対側に、つまり、前側に向けて（矢印Ｘ方向に向けて）付勢されて支持板１２の後面に圧接している。また、図１に示されているように、一対のばね腕部１４ｂの内の一方は照明ユニット１０の短手方向の一側部（一端部）に配置され、他方は照明ユニット１０の短手方向の他側部（一端部）に配置されている。
【００２９】
ばね腕部１４ｂは、ばね腕部１４ｂの基端（コイル部１４ａ側の端）から先端に向けて延びる腕部本体１４ｄと、腕部本体１４ｄの先端から器具本体２０に対向する側とは反対側（前側）に向けて折り曲げられた折曲部１４ｅと、折曲部１４ｅの先端から基端側に向けて（長手方向内側に向けて）突出させて円形状に形成されたループ部１４ｆとからなる。腕部本体１４ｄの先端部と、折曲部１４ｅと、ループ部１４ｆとで、後述するばね腕係止部に一時的に係止される被係止部１４ｇが形成されている。なお、支え腕部１４ｃの先端にも前側に向けて突出した円形状のループ部１４ｈが形成されている。
【００３０】
次に、器具本体２０について、図３、図４、図５および図７、図８、図９を参照しながら説明する。器具本体２０は、ケース部材２１と、電源２２と、電源２２から延出した電線２３および電線２３に接続されたコネクタ２４と、ばね腕部１４ｂを係止するばね腕係止部材２５とを備えている。
【００３１】
ケース部材２１は、長手方向に延びる断面コ字状のケース本体２１ａと、ケース本体２１ａの長手方向両端をあるいはその一部を塞ぐサイド板２１ｂとを備えた、前面開口の箱状の部材であり、このケース部材２１の長手方向中央部に電源２２が配設されている。電源２２は、外部電源あるいは他の照明器具の電源から供給される交流電流を直流電流に変換してＬＥＤ基板１３ａに供給するものであり、ケース部材２１の内部に配置され、ケース部材２１にネジとナットで固定される電源保持具２６によりケース部材２１内に保持される。
【００３２】
電源２２の長手方向両端からは、電線２３（２３ａ，２３ｂ，２３ｃ，２３ｄ，２３ｅ）が延出し、電線２３のそれぞれにはコネクタ２４（２４ａ，２４ｂ，２４ｃ，２４ｄ，２４ｅ）が接続されている。電源２２の一端から延出している電線２３ａには電源コネクタ２４ａが、電線２３ｂには調光信号コネクタ２４ｂが接続され、電源２２の他端から延出している電線２３ｃには電源送りコネクタ２４ｃが、電線２３ｄには調光信号送りコネクタ２４ｄが、電線２３ｅには電源側ＬＥＤコネクタ２４ｅが接続されている。
【００３３】
電源側ＬＥＤコネクタ２４ｅは、照明ユニットの素子側ＬＥＤコネクタ１３ｄに嵌合接続される。照明器具１が単独で使用される場合、電源コネクタ２４ａが外部電源のコネクタ（図示せず）に嵌合接続される。照明器具１が複数接続して使用される場合は、各照明器具の電源コネクタ２４ａは隣接する照明器具の電源送りコネクタ２４ｃに、調光信号コネクタ２４ｂは隣接する照明器具の調光信号送りコネクタ２４ｄに嵌合接続される。複数接続して使用される場合の端に位置する照明器具の電源コネクタ２４ａは外部電源側のコネクタに接続される。なお、これらの電線２３およびコネクタ２４については、図７、図８、図９では図示を省略している。また、これらの電線２３およびコネクタ２４は、図５でケース部材２１の外側に引き出して図示されているが、ケース部材２１の長手方向両端部に位置する後述する収容部２７内に必要に応じて電線２３を折り畳んで収容される。
【００３４】
ばね腕係止部材２５は、板材を屈曲させて形成されており、ネジおよびナットによりケース部材２１に固定されている。ばね腕係止部材２５は、器具本体の長手方向中央を挟んで長手方向に所定間隔をおいて一対設けられている。ばね腕係止部２５は、照明ユニット側に、つまり前側に延びたＵ字状のばね腕係止部２５ａを備えており、ばね腕係止部２５ａは、それぞれコイル部１４ａよりも長手方向内側であってばね腕部１４ｂに対応した位置に設けられている。
【００３５】
器具本体のケース部材２１には、電源２２の長手方向両外側に電線２３やコネクタ２４を収容する収容部２７が設けられている。この収容部２７はケース部材２１内における電源２２の長手方向両外側に位置する空間部によって形成されており、収容部２７に電線２３および電線２３に接続されたコネクタ２４が収容される。また、図示していないが、収容部２７にはアース接続端子やアース送り電線も収容される。なお、ケース部材２１の後面の長手方向両端部には開口２１ｃが形成されており、この開口２１ｃを介して適宜各コネクタ２４を外部のコネクタと接続等することが可能に構成されている。なお、ケース部材２１には後面に開口２１ｄも形成されており、この開口２１ｄを介してネジあるいはネジとナット等により器具本体２０を被取付部に取り付けることができる。
【００３６】
次に、照明ユニット１０の器具本体２０への取り付け、取り外しについて説明する。まず、照明ユニット１０を天井等の被取付部に取り付けられている器具本体２０に取り付ける場合について説明する。最初に、照明ユニットのばね腕部１４ｂを、付勢力（弾性力）に抗して図２の状態から図中矢印Ｙ方向に立ち上げる。次いで、図８に示すように、ばね腕部の被係止部１４ｇを器具本体のばね腕係止部２５ａの上に長手方向外側から挿入して図示のように被係止部１４ｇをばね腕係止部２５ａに一時的に係止させる。この状態では、腕部本体１４ｄの前端部とループ部１４ｆとでばね腕係止部２５ａを挟み込んでおり、ばね腕部１４ｂがばね腕係止部２５ａから外れ難くなっている。
【００３７】
ばね腕部の被係止部１４ｇをばね腕係止部２５ａに一時係止させた図８の状態では、ばね腕部１４ｂには図中矢印Ｘ方向に付勢力（弾性力）が作用している。この状態から、照明ユニット１０を保持していた手を照明ユニット１０から放すと、ばね腕部１４ｂが付勢力によりコイル部１４ａに対して矢印Ｘ方向に向けて傾き、照明ユニット１０が器具本体２０に向けて移動し、器具本体２０に押し付けられて取り付けられる。もし照明ユニット１０から手を放しただけでは照明ユニット１０が器具本体２０に向けて移動しない場合は、照明ユニット１０を手で少し器具本体２０に向けて押せば、ばね腕部１４ｂの付勢力で器具本体２０に向けて移動し器具本体２０に組み付けられる。照明ユニット１０が器具本体２０に取り付けられた状態が図７および図９に示されている。この状態では、照明ユニット１０はばね腕部１４ｂの付勢力により器具本体２０に押し付けられており、安定的な取付状態が維持される。
【００３８】
なお、ばね腕部１４ｂは、図７、図９に示す取付状態において矢印Ｘで示す器具本体側とは反対側（前側）に付勢されていればよく、例えば取付前の図２に示す状態では必ずしも付勢されていなくても良い。
【００３９】
図７、図９に示す取付状態から照明ユニット１０を器具本体２０から取り外す際は、照明ユニット１０を手で持ち、器具本体２０から離す方向（前方向）に引っ張ることにより、先ず図８に示す状態とし、この状態から照明ユニット１０を少し器具本体１０側に移動させ、次いで照明ユニット１０を一方の手で保持しながら、他方の手でばね腕部１４ｂを長手方向外側に動かして被係止部１４ｇをばね腕係止部２５ａから外すことにより、照明ユニット１０を器具本体２０から取り外すことができる。
【００４０】
電線２３およびコネクタ２４は、照明ユニット１０を器具本体２０に取り付けた状態、つまり図７、図９に示す状態では、前述の収容部２７内に収容されている。電源側ＬＥＤコネクタ２４ｅと素子側ＬＥＤコネクタ１３ｄとを嵌合接続し、照明器具１を単独で使用する場合は、電源コネクタ２４ａは外部電源側のコネクタと接続し、その他のコネクタは接続されることなく、収容部２７内に収容される。複数の照明器具１を接続して使用する場合は、各コネクタ２４は前述の組合わせで嵌合接続され、接続された状態で収容部２７内に収容される。
【００４１】
上記実施形態によれば、ばね腕部１４ｂが延びる方向を長手方向外側ではなく長手方向内側にしたことにより、照明器具１の短長化を図ることができる。図９に示すように、器具本体のケース部材２１内の長手方向外側領域には収容部２７が画成され、この収容部２７内に電源２２から延出した電線２３やコネクタ２４が収容されることになるが、ばね腕部１４ｂを用いた着脱構造を採用した場合、収容部２７内にばね腕部１４ｂを含めた取付ばね１４やばね腕係止部材２５をも収容する必要があり、特にばね腕部１４ｂは照明ユニット１０の着脱時に大きく動くことから、ばね腕部１４ｂが収容部２７内の電線２３やコネクタ２４に引っ掛かったり干渉したりしないようにしておく必要がある。
【００４２】
そして、ばね腕部１４ｂを本実施形態のように先端が長手方向内側に向けて延びるように取付ばね１４を設けた場合、ばね腕部１４ｂの動き量が少ない部分も含めて図９中Ｓで示す範囲を収容空間として確保することができる。これに対して、取付ばね１４をばね腕部１４ｂが長手方向外側に向けて延びるように設けた場合、つまり支え腕部のループ部１４ｈを図９中のばね腕部のループ部１４ｆの長手方向位置に位置させてばね腕部１４ｂが長手方向外側に向けて延びるように取付ばね１４を設けた場合、ばね腕部のループ部１４ｆは図９中の一点鎖線Ｔの位置に位置することとなり、ばね腕部のループ部１４ｆは動きが大きい部分であるから、収容空間はこの一点鎖線Ｔよりも長手方向外側に確保する必要があり、そうすると、同じ長さの収容空間を確保しようとすると、本実施形態に比べて、図９中の長さＵ分だけ片側で長くなり、照明器具１全体としてはその倍の２Ｕ分だけ長くる。即ち、本実施形態では、ばね腕部１４が長手方向内側に向けて延びるように取付ばね１４を設けたので、ばね腕部１４ｂを用いた着脱構造を採用した照明器具において、全長の短縮化を図ることができる。
【００４３】
上記実施形態の照明器具においては、ばね腕部１４ｂおよびばね腕係止部２５ａが側部（短手方向中央部ではなく短手方向端部）に設けられているので、電線２３およびコネクタ２４との干渉をより回避でき、収容空間を広く使うことができる。また、ばね腕部１４ｂおよびばね腕係止部２５ａのうちの一方の組を短手方向の一側部に、他方の組を短手方向の他側部に配置したので、双方の組を短手方向の同一の側部に設けた場合に比して、ばね腕部１４ｂの付勢力に起因する照明ユニットに作用する力の短手方向のバランスを良好にすることができる。
【００４４】
上記実施形態の照明器具においては、ばね腕部の折曲部１４ｅの先端にループ部１４ｆを形成したので、ばね腕部の被係止部１４ｇをばね腕係止部２５ａに一時係止させた際の係止の確実化が図られ、また、照明ユニット１０を器具本体２０から引き離した際に、ループ部１４ｆがばね腕係止部２５ａに引っ掛かり、照明ユニット１０が不用意に落下してしまうことを防止することができる。また、支え腕部１４ｃの先端にもループ部１４ｈを形成したので、手で触れても刺さったり怪我をする恐れがなく、安全に取り扱うことができる。
【００４５】
本発明に係る照明器具は、上記実施形態に限定されるものではなく、その要旨を超えない限りにおいて種々の変更態様を取り得る。例えば、光源はＬＥＤ発光素子に限らず、他の種類の光源であっても良い。また、ばね腕部も、捩りコイルばねタイプのばね腕部に限らず、基端部が照明器具に支持され、器具本体に係脱可能であり、照明ユニットを器具本体に取り付けたときに器具本体とは反対側（前側）に付勢されており、その付勢力により照明ユニットを器具本体に向けて押し付け得るものであれば、どのような形態のものであっても良い。
【符号の説明】
【００４６】
１      照明器具
１０    照明ユニット
１０ａ  照明ユニット本体
１１    照明カバー
１２    支持板
１３    ＬＥＤ照明体
１３ａ  基板
１３ｂ  ＬＥＤ発光素子（光源）
１４    取付ばね
１４ａ  コイル部
１４ｂ  ばね腕部
１４ｃ  支え腕部
１４ｄ  腕部本体
１４ｅ  折曲部
１４ｆ  ループ部
１４ｇ  被係止部
１４ｈ  ループ部  
２０    器具本体
２１    ケース部材
２２    電源
２３    電線
２４    コネクタ
２５    ばね腕係止部材
２５ａ  ばね腕係止部
２７    収容部
【図１】
2020061321.tif 000003
【図２】
2020061321.tif 000004
【図３】
2020061321.tif 000005
【図４】
2020061321.tif 000006
【図５】
2020061321.tif 000007
【図６】
2020061321.tif 000008
【図７】
2020061321.tif 000009
【図８】
2020061321.tif 000010
【図９】
2020061321.tif 000011